(57)【要約】      （修正有）【課題】従来よりも開封および流体材料の注出の作業が行い易く、しかも、構造を簡略化し生産ラインでの大量生産に適した包装器材の提供。【解決手段】主筒の外周側面にツバ７を形成した硬質合成樹脂製の注出筒３を備えた軟質袋状容器Ａと、内蓋板に係合孔２４”を開設し、また、外蓋板の係合孔２４”と一致する箇所に挿通孔２５，２５”を開設した外箱Ｃとからなり、注出筒３を、その頭部が外蓋板の上面に突出しない状態にして挿通孔２５，２５”内に位置させて、軟質袋状容器Ａを外箱Ｃ内に収納してなる包装器材。【選択図】図１
0003137058.tif 000002
【実用新案登録請求の範囲】
【請求項１】
主筒（４）の外周側面にツバ（７，７’）を形成した硬質合成樹脂製の注出筒（３，３’，３”）を備えた軟質袋状容器（Ａ，Ａ’）と、内蓋板に係合孔（２４，２４”）を開設し、また、外蓋板の、上記係合孔（２４，２４”）と一致する箇所に挿通孔（２５，２５”）を開設した外箱（Ｃ）とからなり、上記外蓋板に開口している挿通孔（２５，２５”）内に、上記注出筒（３，３’，３”）を、その頭部が外蓋板の上面に突出しない状態にして位置させて、上記軟質袋状容器（Ａ，Ａ’）を上記外箱（Ｃ）内に収納してなることを特徴とする包装器材。
【請求項２】
上記軟質袋状容器（Ａ，Ａ’）を内部に嵌合させた状態にして、該軟質袋状容器（Ａ，Ａ’）の外周に取り付けられこれを支持する段ボールまたは厚紙製筒状の支持枠（Ｂ）を備えたことを特徴とする請求項１記載の包装器材。
【請求項３】
上記注出筒（３，３’，３”）が、上記ツバ（７，７’）を上記外箱（Ｃ）の内蓋板に係合させていることを特徴とする請求項１または２記載の包装器材。
【請求項４】
上記注出筒（３）が、上下摺動自在にして、上記外箱（Ｃ）の内蓋板に係合していることを特徴とする請求項３記載の包装器材。
【請求項５】
上記注出筒（３’，３”）が、上記外箱（Ｃ）の内蓋板に係合固定されていることを特徴とする請求項３記載の包装器材。
【請求項６】
上記注出筒（３’）が、上記内蓋板に対し、ツバ（７）を内蓋板の上面側に位置させ、主筒（４）の接合環状部（７ａ）を内蓋板の下面側に位置させることにより固定されていることを特徴とする請求項５記載の包装器材。
【請求項７】
上記注出筒（３”）が、上側のツバ（７’）を外蓋板の上面に位置させ、下側のツバ（７）を外蓋板と内蓋板の間に位置させ、接合環状部（７ａ）を内蓋板の下方に位置させて固定されていることを特徴とする請求項５記載の包装器材。
【請求項８】
上記外箱（Ｃ）が、内蓋板（２０，２１）の互いに対向することとなる辺縁に、閉蓋時に上記注出筒（３，３’，３”）を係合させる係合孔（２４）を形成するように切欠き（２４’，２４’）を形成し、その内蓋板（２０，２１）に重合することとなる外蓋板（２２）の、閉蓋時に上記係合孔（２４）と一致する箇所に、上記注出筒（３，３’，３”）のツバ（７，７’）を挿通可能な挿通孔（２５）が形成されていることを特徴とする請求項１，  ２，３，４，５，６または７記載の包装器材。
【考案の詳細な説明】
【技術分野】
【０００１】
本考案は、塗料，シーリング材，接着剤等の建築工事や内外装工事に供される材料あるいは食品材料等、液体状，粘性体状，粉体状または粒体状の各種流体材料を充填する柔軟な軟質袋状容器と、これを収納する外箱との組み合わせからなる包装器材に関する。
【背景技術】
【０００２】
従来より、上記流体材料を充填する直方体状の金属製１８リットル缶（いわゆる一斗缶）や硬質合成樹脂製の容器等に代わる包装器材として、合成樹脂製で柔軟な軟質袋状容器とこれを支持する段ボール等製で筒状の支持枠とこれらを収納する直方体状の段ボール等製の外箱との組み合わせからなる、本出願人の発明または考案に係るものが知られている（特許文献１，２）。
【特許文献１】実用新案登録第3084128号公報
【特許文献２】特開2006-76579号公報
【考案の開示】
【考案が解決しようとする課題】
【０００３】
これらの包装器材は、リサイクルや焼却処分に適しているというメリットがあるものの、さらに簡略な構造とし、生産ラインで大量生産をし易いものとすることで製造コストを低減するとともに、充填した流体材料を、開封時により容易に取り出すことができる使いやすいものとする必要があった。
たとえば、上記特許文献１の包装器材の外箱は、外蓋板を開き、注出口体を引き上げて、軟質袋状容器を適宜回転させることにより、その注出口体を内蓋板に形成された略Ｔ字形をなす凹処の内奥部に噛合させ、外箱に収納したままの状態で、軟質袋状容器の内容物を注ぎ出すことができるようにしたものである。
しかし、これは、注出口体を凹処の内奥部に噛合させるために、流体材料を充填した状態の軟質袋状容器を回転させる手間が生じ、これを改善し、より使いやすいものとする必要があった。
また、内蓋板の凹処をさらに小さく形成することにより、段ボール材料の無駄を減らし、製造コストを低減する必要もあった
【０００４】
上記特許文献２の包装器材は、外箱の上蓋の注出口体取り出し部を一旦切り開くとともに小蓋を切り離して注出口体係合孔を開口させ、注出口体を引き出してその注出口体係合孔に係合させることで、流体材料を取り出す必要があるので、開封の手間がかかる。
【０００５】
さらに、上記の各包装器材は、閉蓋により注出口体が外箱内に収まってしまう、流体材料の自動充填するには、開蓋状態で行わざるを得ず、そのような自動充填は事実上難しかった。
【０００６】
そこで、本考案は、従来よりも開封および流体材料の注出の作業が行い易く、しかも、構造を簡略化し生産ラインでの大量生産に適した包装器材を提供することを課題とする。
【課題を解決するための手段】
【０００７】
請求項１記載の本考案は、主筒４の外周側面にツバ７，７’を形成した硬質合成樹脂製の注出筒３，３’，３”を備えた軟質袋状容器Ａ，Ａ’と、内蓋板に係合孔２４，２４”を開設し、また、外蓋板の、上記係合孔２４，２４”と一致する箇所に挿通孔２５，２５”を開設した外箱Ｃとからなり、上記注出筒３，３’，３”を、その頭部が外蓋板の上面に突出しない状態にして上記挿通孔２５，２５”内に位置させて、上記軟質袋状容器Ａ，Ａ’を上記外箱Ｃ内に収納してなる包装器材である。
【０００８】
請求項２記載の本考案は、上記軟質袋状容器Ａ，Ａ’を内部に嵌合させた状態にして、該軟質袋状容器Ａ，Ａ’の外周に取り付けられこれを支持する段ボールまたは厚紙製筒状の支持枠Ｂを備えた請求項１記載の包装器材である。
【０００９】
請求項３記載の本考案は、上記注出筒３，３’，３”が、上記ツバ７，７’を上記外箱Ｃの内蓋板に係合させている請求項１または２記載の包装器材である。
【００１０】
請求項４記載の本考案は、上記注出筒３が、上下摺動自在にして、上記外箱Ｃの内蓋板に係合している請求項３記載の包装器材である。
【００１１】
請求項５記載の本考案は、上記注出筒３’，３”が、上記外箱Ｃの内蓋板に係合固定されている請求項３記載の包装器材である。
【００１２】
請求項６記載の本考案は、上記注出筒３’が、上記内蓋板に対し、ツバ７を内蓋板の上面側に位置させ、主筒４の接合環状部７ａを内蓋板の下面側に位置させることにより固定されている請求項５記載の包装器材である。
【００１３】
請求項７記載の本考案は、上記注出筒３”が、上側のツバ７’を外蓋板の上面に位置させ、下側のツバ７を外蓋板と内蓋板の間に位置させ、接合環状部７ａを内蓋板の下方に位置させて固定されている請求項５記載の包装器材である。
【００１４】
請求項８記載の本考案は、上記外箱Ｃが、内蓋板２０，２１の互いに対向することとなる辺縁に、閉蓋時に上記注出筒３を係合させる係合孔２４を形成するように切欠き２４’，２４’を形成し、その内蓋板２０，２１に重合することとなる外蓋板２２の、閉蓋時に上記係合孔２４と一致する箇所に、上記注出筒３，３’，３”のツバ７を挿通可能な挿通孔２５が形成されている請求項１，２，３，４，５，６または７記載の包装器材である。
【考案の効果】
【００１５】
請求項１記載の本考案は、注出筒を、その頭部が外蓋板の上面に突出しない状態にして上記挿通孔内に位置させて、軟質袋状容器を外箱に収納しているので、従来よりも開封および流体材料の注出の作業が行い易い。しかも、構造が単純で簡略化し生産ラインでの大量生産に適している。
【００１６】
請求項２記載の本考案によれば、支持枠により、上記軟質袋状容器を、安定して保持することができる。
【００１７】
請求項３記載の本考案によれば、上記注出筒が内蓋板に係合し、外箱内に落ち込まないので、開封・注出の作業が行いやすい。
【００１８】
請求項４記載の本考案によれば、上記注出筒が上下摺動自在であるから、注出作業がより行いやすい。
【００１９】
請求項５〜７記載の本考案によれば、上記注出筒が内蓋板に係合固定されているので、流体材料の注出作業も安定して行える。
【００２０】
請求項８記載の考案によれば、係合孔が、対向する内蓋板を閉蓋して形成されるから、これに注出筒を係合させる作業が容易に行える。
【考案を実施するための最良の形態】
【００２１】
主筒４の外周側面にツバ７，７’を形成した硬質合成樹脂製の注出筒３，３’，３”を備えた軟質袋状容器Ａ，Ａ’と、内蓋板に係合孔２４，２４”を開設し、また、外蓋板の、上記係合孔２４，２４”と一致する箇所に挿通孔２５，２５”を開設した外箱Ｃとからなり、上記注出筒３，３’，３”を、その頭部が外蓋板の上面に突出しない状態にして上記挿通孔２５，２５”内に位置させて、上記軟質袋状容器Ａ，Ａ’を上記外箱Ｃ内に収納してなる包装器材。
【実施例１】
【００２２】
本実施例の包装器材は、軟質袋状容器Ａ（Ａ’）と、支持枠Ｂと、外箱Ｃとを組み合わせてなる。
【００２３】
軟質袋状容器Ａは、互いに重合した縦長方形の２枚の軟質合成樹脂製シートの周縁を溶着してなる袋状体で、その左右肩部を斜めに溶着しその角部を把持部１，２とし、底部左右を、角部を切り落とした斜切状態にし溶着してある。３はこの軟質袋状容器Ａの表面上部中央にその下縁外周に突出する接合環状部７ａにおいて接合され取り付けられた硬質合成樹脂製の注出筒である。
この注出筒３は、外径４６ｍｍ程度、高さ３０ｍｍの円筒状の主筒４の上端開口の外周縁に、上面を斜面５としたキャップ係合用突縁６を形成し、また、上記キャップ係合用突縁６の下方外周側面に、指を掛けるのに十分な外径７０〜７６ｍｍ程度で厚さ１ｍｍ程度のの環状のツバ７を形成している。
８は、注出筒３とともに注出筒体をなし、その注出筒３の上記係合用突縁６に下面周縁の係合爪９を係合させて該注出筒３の上端開口を封止するキャップである。これは、従来より石油缶等のキャップとして用いられているもので、開口を封止する場合には注出筒３の上方から押圧することでワンタッチで装着でき、また、該軟質袋状容器Ａを開封する場合には、上記ツバ７に指を掛けて上面中央を下方に押圧することで下面周縁の上記係合爪９を外方に変位させ、簡易に取り外すことができる。
【００２４】
この軟質袋状容器Ａは、左右底部を斜設状態にし、また、左右肩部を斜めに溶着しているので、流体材料を充填したときには全体がほぼ直径２０〜３０ｃｍ程度の円筒状をなし、左右肩部および左右底部の角部が外方に突出しないようになっている。
【００２５】
また、上記注出筒３は係合用突縁６を形成して、その開口を封止するキャップ８をワンタッチで取り付けられるようにしたものであるが、注出筒の外周側面とキャップの内周面とにネジ溝を形成し、キャップの螺合により主筒４の開口を封止することとしてもよい。
【００２６】
なお、底部左右は斜切状態とせず、角部を残したまま左右肩部と同様斜めに溶着することとしてもよい。
【００２７】
この軟質袋状容器Ａは、袋状体を形成する軟質合成樹脂製シートと注出筒３とのみによって安価に簡易に製作でき、後記の支持枠Ｂを取り付けることで、胴膨れすることなく自立状態に保持させることができるものである。
【００２８】
図１０に示した他の形態の軟質袋状容器Ａ’は、硬質合成樹脂で円形の天板１０ａと、この外周の水平外方に突出する突出部１０ｂを備えた円環枠１０を一体形成し、その天板１０ａの外周に、２枚の軟質合成樹脂シートを重合して周縁を溶着してなる袋状体１０ｃを上側開口において溶着したものである。
上記天板１０ａに取り付けた注出筒３は、上記軟質袋状容器Ａの注出筒３と同構造であるが、その基端は、天板１０ａの上下に出没自在にした蛇腹１０ｄの先端に取り付けられている。
【００２９】
上記注出筒３に代え、キャップを螺合するためのネジ溝を外周側面に形成したものを採用することも可能である。
この軟質袋状容器Ａ’は、円環枠１０の突出部１０ｂを後記の支持枠Ｂの上面開口縁に乗載することで、安定的に自立させることができるようになっている。
なお、上記円環枠１０の天板１０ａの部分は、軟質の合成樹脂により成形することも可能である。
【００３０】
上記軟質袋状容器Ａ，Ａ’に代えて、注出筒を備えた各種の材質および形状の容器を使用することもできる。
たとえば、円筒袋状体を、底面、上面、および側壁を構成する３枚の軟質合成樹脂シートの接合部分を溶着して形成したもの、あるいは、直方体の袋状体を、上下、左右、前後の６面の軟質合成樹脂シートにより形成したもの等を使用できる。
【００３１】
支持枠Ｂは、上記軟質袋状容器ＡまたはＡ’の外周面に、その周方向に線状に貼着した両面テープ１１により、該軟質袋状容器Ａ，Ａ’を囲繞する状態に、すなわちその内部に上記軟質袋状容器Ａ，Ａ’を嵌合させた状態に接着して取付けられた段ボール板または厚紙板製の筒状のものである。この支持枠Ｂの高さは、流体材料を充填した上記軟質袋状容器Ａの高さとほぼ同じである。
これは、横長の段ボール板または厚紙板に縦に多数の折目線を入れ、適宜折曲して筒状に形成される。
この、支持枠Ｂを取り付けた軟質袋状容器Ａ，Ａ’は、流体材料を充填していない状態では、２つ折りされ（図９）、薄くコンパクトな状態で輸送・保管等に際し嵩張らないものであるが、該軟質袋状容器Ａに流体材料を充填した際には、その軟質袋状容器Ａが膨らむのにあわせて円筒状となり、軟質袋状容器Ａが自立状態を保つように支持する働きをする。
また、比重の重い流体材料を収納した場合に、軟質袋状容器Ａが過度に胴膨れするのを押さえる働きをもする。
この支持枠Ｂは、段ボール板の長手方向両端の重ね合わせ部分を、両面テープまたは接着剤による接着により製作してもよいし、あるいは、その重ね合わせた両端にそれぞれ入れた所要の形状の切込みを互いに係合させて筒状を保持させるようにしてもよい。
【００３２】
なお、両面テープ１１は、軟質袋状容器Ａの外周面に線状にして１本又は複数本貼着することとしてもよいし、複数箇所に適宜点状に貼着してもよい。また、軟質袋状容器Ａと支持枠Ｂとは、両面テープ１１でなく、接着剤で貼着することとしてもよい。
あるいは、接着することなく、軟質袋状容器Ａを支持枠Ｂ内に嵌合させておくだけとしてもよい。
【００３３】
１１’，１１’は、所要位置に切り込みを入れて形成された、下辺において折曲可能な折曲片を折り曲げて開口される手掛け孔である。
【００３４】
また、この支持枠Ｂには、水平方向にハーフカット線等の切込み線を入れ、この線に沿って容易に切断ができるようにすることができる。これにより、軟質袋状容器Ａ内の流体材料を一部使用した際には、その残量に応じて支持枠Ｂの高さを低くすることで、軟質袋状容器Ａを安定して起立状態に保持できる。
【００３５】
上記支持枠Ｂの軟質袋状容器Ａへの取付けは、流体材料の充填作業の際に行ってもよいが、上記支持枠Ｂを、上記軟質袋状容器Ａに予め取り付けておき、その出荷時には、折り畳んだ状態た状態としておくことで、輸送の際に嵩張らず、また、充填の作業は、支持枠Ｂの取付けを別作業で行う必要がないので手軽に行える。
【００３６】
支持枠Ｂは、図１２に示すように、上縁側の所要幅の円環部Ｂ’を残して下方から縦に入れた複数の切込み線Ｂ”から切り開き、その切り開いた部分を折り返してたとえば三角柱状などの柱状の支持柱Ｂ１を形成することで、縦荷重に強いものとすることができる。このように縦荷重に強いものとしておくことは、この支持枠Ｂを取り付けた軟質袋状容器Ａを収納した後記の外箱Ｃを多段に積む場合などに好適である。
なお、特に図示しないが、上記支持柱Ｂ１は上縁に残る円環部Ｂ’から切り離して、軟質袋状容器Ａの外周面に接着するようにしてもよい。あるいは、外箱Ｃの内面に接着して補強材としてもよい。また、支持枠Ｂから切り離して用意するほか、別途段ボールまたは厚紙により柱状に形成したものとしてもよい。
そのような支持柱を外箱Ｃの隅角部に配置し、必要に応じ外箱に対して接着することで外箱Ｃ自体の補強もできる。
【００３７】
そのほか、軟質袋状容器Ａに取り付けた上記支持枠Ｂ（あるいは少なくとも円環部Ｂ’）を外箱Ｃに接着固定すれば、軟質袋状容器Ａの回転を抑えることができる。
【００３８】
たとえば、角形の軟質袋状容器（図示していない。）の場合は、その角部が後記の外箱Ｃの側壁１２〜１５に接するよう配置し、これに取り付けた支持枠Ｂ（あるいは円環部Ｂ’）を外箱Ｃに固定することで、軟質袋状容器および支持枠Ｂは外箱Ｃの隅角部のスペース内に膨らむので、外箱Ｃの胴膨れを効果的に押さえることができ、また、外箱Ｃ内で軟質袋状容器Ａが回転してしまうことを防げる。
【００３９】
さらに、軟質袋状容器が外箱Ｃ内で回転するのを確実に防ぐため、軟質袋状容器Ａと支持枠Ｂと外箱Ｃの内面とを直接接着してもよい。
その他、支持枠Ｂの上縁に切込みを入れ、たとえば軟質袋状容器Ａの肩部１，２等の部分を挟み込むことで、回転防止を図ることもできる。
【００４０】
外箱Ｃは、流体材料を充填し外周に上記支持枠Ｂを取り付けた状態の上記軟質袋状容器を収納できる寸法にした直方体状をなすたとえば１０〜１２ｍｍ厚の段ボール製のものである。なお、収納する流体材料が軽量である場合等、強度が十分である場合にはより薄い段ボールにより製作してもよい。
これは、４枚の側壁１２〜１５と、２枚の内底板１６，１７および２枚の外底板１８，１９（これらを「底蓋」という。）と、２枚の内蓋板２０，２１および２枚の外蓋板２２，２３（これらを「上蓋」という。）とからなる。
【００４１】
上記内蓋板２０，２１の、閉蓋時に対向することとなる辺縁の、外蓋板２２寄りの位置には、閉蓋時に上記注出筒を係合させる円形の係合孔２４を形成しするよう、それぞれに直径５ｃｍの半円形の切欠き２４’，２４’が形成されている。
また、上記外蓋板２２の、閉蓋時に上記係合孔２４と一致する箇所には、一辺８ｃｍの正方形をなす、上記注出筒３のツバ７を挿通可能な挿通孔２５が形成されている。
【００４２】
なお、上記係合孔２４および２５挿通孔は、たとえば、二点鎖線で示す係合孔２４”および挿通孔２５”のように、たとえば、上記内蓋板２０と外蓋板２２の、互いが重なり合う箇所等に開設してもよく、その他、軟質袋状容器Ａ，Ａ’からの流体材料の注ぎ出しが行いやすい適宜の位置に開設することが可能である。
【００４３】
２６，２６は、対向する側壁１３，１５の所要位置に切り込みを入れて形成された、下辺において折曲可能な折曲片を折り曲げて開口される手掛け孔である。
内蓋板２０，２１は、開蓋して側壁１３，１５の外面に沿わせた状態にするとともに、その縁部（あるいはその縁部に適宜形成される切欠きや突起）を上記手掛け孔２６，２６に係合させて、開放状態を維持できるようになっている。
このことは、軟質袋状容器Ａを取り出す作業の際などに便利である。
内蓋板２０，２１は、手掛け孔２６，２６とは別に側壁１２，１３に形成する切欠き（図示しない）等に係合させるようにしてもよい。
また、外蓋板２２，２３についても、側壁１２，１４に係合させ、これに沿わせた状態を維持できるようにすることが、軟質袋状容器Ａの取り出し作業等に便利である。
【００４４】
流体材料を充填した上記軟質袋状容器Ａは、その注出筒３の開口を、キャップ８により封止し、また、この軟質袋状容器Ａに取り付けられた上記支持枠Ｂに支持された状態で、外箱Ｃに収納され、出荷・輸送・保管されるが、その収納は、より具体的には、図５に示すように、上記注出筒３を、上記係合孔２４および挿通孔２５内に位置させ、そのツバ７を内蓋板２０，２１の上面に上下摺動自在な状態で乗載係合している。
すなわち、外蓋板に開口している上記挿通孔２５内に、注出筒３を、その頭部が該外蓋板の上面に突出しない状態にして位置させて、軟質袋状容器を外箱に収納しているので、複数の外箱Ｃを縦積みすることを妨げないようになっている。
【００４５】
上記係合孔２４は、対向する内蓋板２０，２１を閉蓋して形成されているから、これに注出筒３を係合させる作業は、一度開いた内蓋板２０，２１を閉じながら容易に行える。
【００４６】
また、充填されている流体材料を注ぎ出す際には、注出筒３を、必要に応じ上方に引き上げ、キャップ８を取り外すだけでよく、従来の包装器材に比べ開封の手間が格段に省かれる。
【００４７】
上記のようにしてなる本考案包装器材は、軟質袋状容器Ａ内の流体材料注ぎ出しの作業が簡易に行えるものである。しかも、構造が単純であるから生産ラインでの大量生産・組立ても容易で製造コストを低減できる。
【００４８】
また、従来と異なり、上蓋の注出筒３の周囲を、係合孔２４，２４”および挿通孔２５，２５”を設けることにより開放して、外箱Ｃが閉蓋状態であっても、。上面側に露出するようにしてあるので、注出筒３の頭部（キャップ８）が簡単に取り出せる。
また、抽出筒３が外箱Ｃにしっかり支持されているので、該注出筒３を通じての流体材料の自動充填が容易で、キャップ８の封止も自動化が簡単である。
【００４９】
所要の添加材を注入して、攪拌機により外箱Ｃに収納したまま高速回転させ攪拌する場合にも、その注入が容易である。
【００５０】
上記抽出筒３およびキャップ８は、上蓋の上面から突出しないので、複数の該包装器材の段積みも可能である。
【００５１】
ちなみに、外箱Ｃ内で軟質袋状容器Ａ，Ａ’が相対回転してしまわないよう、支持枠Ｂを外箱Ｃの内面に、所要の箇所に接着剤を塗布して接着固定することも可能である。必要に応じ、軟質袋状容器Ａ，Ａ’と支持枠Ｂとを接着する。
このように支持枠Ｂに嵌合した軟質袋状容器Ａ，Ａ’が相対回転をしない状態にすることで、該軟質袋状容器Ａ，Ａ’に添加剤を加えて再度閉蓋した後高速攪拌機で行う行う攪拌作業や、流体材料を全て取り出して空になった該軟質袋状容器Ａ，Ａ’を洗浄する作業が行いやすくなる。
【００５２】
また、図示しないが、外箱Ｃの手掛け孔２６，２６あるいは外箱Ｃから軟質袋状容器Ａを嵌合させた状態で取り出した支持枠Ｂの手掛け孔１１’，１１’に、それら外箱Ｃまたは支持枠Ｂの上縁を跨ぐように引き出した軟質袋状容器Ａの左右肩部の把持部１，２を外面側から挟み込んで固定し、該軟質袋状容器Ａが相対回転しないようにすることもできる。
さらには、外箱Ｃの側壁１２〜１４の上縁あるいは内蓋板２０，２１，外蓋板２２，２３の基端（側壁１２〜１４に連なる側）に切り込みを入れ、そこに軟質袋状容器Ａの肩部１，２等の部分を挟み込んで回転防止を図ることもできる。
【００５３】
なお、出荷・輸送時には、注出筒３を、内蓋板２０，２１の下方に納めておき、現場での使用時に外蓋板および内蓋板を一旦開封し、上記ツバ７を内蓋板２０，２１の上面に乗載して図５に示した状態とすることもできる。
【００５４】
また、上記注出筒３に代え、図６に示すように、高さ２０ｍｍ程度の低い注出筒３’として、ツバ７および主筒４の接合環状部７ａによって、内蓋板に対し上下摺動しないよう固定してもよい。このようにすれば、流体材料の注出作業時に、注出筒３’が意に反して摺動してしまい作業が行いにくくなるようなことを防げる。
【００５５】
その場合、外箱Ｃの挿通孔２５’の寸法をより小さく形成し、ツバ７を外蓋板２２と内蓋板板２０，２１との間に挟み込むのも好ましい。
【００５６】
また、より確実に固定するため、図１１に示すように、２つのツバ７，７’を備えた注出筒３”とすることもできる。この場合、上側のツバ７’を外蓋板の上面に、下側のツバ７を外蓋板と内蓋板の間に、また、接合環状部７ａを内蓋板の下方に位置させるのがよい。
上記いずれの注出筒を採用するか、また、その他の注出筒を採用するかは、充填される流体材料の粘度や重さ等に応じ、適宜決定する。
【００５７】
外箱は、上記のような直方体状のものに限らず、円筒形のもの、断面多角形の筒状のものなど、任意の形状のものとすることができる。これにより、強度を増したもの、持ち運びに便利なもの、また、多段積みの作業が行いやすいものとすることができる。
【００５８】
その他、上記注出筒３からの流体材料の注ぎ出しの作業を円滑にし、また、外箱Ｃの挿通孔２５の周辺を流体材料で汚してリサイクル処理等に支障が生じることのないようようするため、上方に引き出して上蓋の上面に頭部を突出させた注出筒３に、注ぎ出される流体材料を案内する樋形等の流体材料取出枠を、着剤などにより取り付けると便利である。
また、ツバ７に、そのツバ７よりも大径の円環状の枠を重合して接着することで、いわば上記ツバ７の径を大きくすることによって、注出筒３の開口からの流体材料のこぼれ落ちによる外箱Ｃの汚れ防止、また、キャップ８の着脱の際のツバ７への指の掛けやすさの改善を図れる。
さらには、上記ツバ７の外縁からの流体材料のこぼれ落ちを防止するために、その外縁に起立する筒状体を接着し、上記ツバとこの筒状体によって、注出筒３の開口からこぼれ落ちる流体材料を完全に受け止めるようにすることも、好ましい。
なお、これらのものは、注出筒３に接着することなくワンタッチで嵌合する形状のものとしておくとさらに便利である。
【００５９】
上記では、支持枠Ｂを使用することを前提に説明したが、充填する流体材料が軽量である場合や攪拌不要な場合などには、軟質袋状容器Ａ，Ａ’を支持枠Ｂを使用することなく、そのまま外箱Ｃに収納して出荷・輸送・保管することが可能である。
【図面の簡単な説明】
【００６０】
【図１】本考案の実施例に係る包装器材の分解斜視図である。
【図２】軟質袋状容器を支持枠体に嵌合させたものを外箱に収納した状態の斜視図である。
【図３】その平面図である。
【図４】その包装器材の閉蓋状態の斜視図である。
【図５】図４のＩ−Ｉ線における縦断面図である。
【図６】軟質袋状容器に他の注出筒を取り付けた場合の縦断面図である。
【図７】軟質袋状容器の斜視図である。
【図８】支持枠を形成する段ボール板に上記軟質袋状容器を乗載した状態の斜視図である。
【図９】その段ボール板から折り畳んだ状態の支持枠を形成し、軟質袋状容器に接着した状態の斜視図である。
【図１０】他の形態の軟質袋状容器の斜視図である。
【図１１】上記軟質袋状容器に取り付ける他の注出筒の側面図である。
【図１２】上記支持枠の切り開き部分を切り開いて折り曲げることにより支持柱を形成した状態の斜視図である。
【符号の説明】
【００６１】
Ａ，Ａ’   軟質袋状容器
Ｂ 支持枠
Ｂ’ 円環部
Ｂ” 切込み線
Ｃ 外箱
３，３’，３” 注出筒
４ 主筒
７，７’ ツバ
７ａ 接合環状部
１２〜１５ 側壁
１６，１７ 内底板
１８，１９ 外底板
２０，２１ 内蓋板
２２，２３ 外蓋板
２４ 係合孔
２４’ 切欠き
２５” 挿通孔
【図１】
0003137058.tif 000003
【図２】
0003137058.tif 000004
【図３】
0003137058.tif 000005
【図４】
0003137058.tif 000006
【図５】
0003137058.tif 000007
【図６】
0003137058.tif 000008
【図７】
0003137058.tif 000009
【図８】
0003137058.tif 000010
【図９】
0003137058.tif 000011
【図１０】
0003137058.tif 000012
【図１１】
0003137058.tif 000013
【図１２】
0003137058.tif 000014